(57)【要約】【課題】  巾寸法が長くなる壁パネルを出入開口部から昇降路スペース内へと容易に搬入することができ、組立作業も容易となるエレベータかご組立構造を提供する。【解決手段】  床パネル１の周縁上に壁パネル２が立設固定されるものであり、床パネル１は平面視略長方形状で昇降路スペースＳ内に存在し、壁パネル２が同昇降路スペースＳ内にその出入開口部３から搬入されるエレベータかご組立構造であって、平面視略長方形状の床パネル１の長辺側でその周縁上に立設固定される壁パネル２を、左右に分割された片半パネル４が縦回動軸５を介し枢支連結されたものとして形成し、同壁パネル２を折り畳んだ状態で出入開口部３から搬入して伸展させた状態で立設固定してなる。【選択図】図１
2006273431.tif 000002
【特許請求の範囲】
【請求項１】
床パネルの周縁上に壁パネルが立設固定されるものであり、床パネルは平面視略長方形状で昇降路スペース内に存在し、壁パネルが同昇降路スペース内にその出入開口部から搬入されるエレベータかご組立構造であって、平面視略長方形状の床パネルの長辺側でその周縁上に立設固定される壁パネルを、左右に分割された片半パネルが縦回動軸を介し枢支連結されたものとして形成し、同壁パネルを折り畳んだ状態で出入開口部から搬入して伸展させた状態で立設固定してなるエレベータかご組立構造。
【請求項２】
床パネルの短辺側に出入開口部が位置し、壁パネルは同床パネルの両長辺側で側方の壁パネルとなるものであることを特徴とする請求項１記載のエレベータかご組立構造。
【請求項３】
壁パネルの両側下端部分にパネル巾方向に沿って横長のスリットを形成し、床パネルの長辺両端付近にボルトを上方へ突設し、この両ボルトに前記両スリットを各々スライド自在に係合ガイドさせて壁パネルを折り畳んだ状態から伸展させ、この伸展され立設された壁パネルを同ボルトに螺合されるナットを締め付けて固定したことを特徴とする請求項１又は２記載のエレベータかご組立構造。
【請求項４】
縦回動軸を壁パネルの厚み方向外側に位置させ、同壁パネルを伸展させた状態で、両片半パネルの相互に近接対向する側端部間の厚み方向内側にモール部材を挟着したことを特徴とする請求項１〜３のいずれか一つに記載のエレベータかご組立構造。
【発明の詳細な説明】
【技術分野】
【０００１】
本願発明は、昇降路スペース内において床パネルの周縁上に壁パネルが立設固定されるエレベータかご組立構造に関するものである。
【背景技術】
【０００２】
従来から、図５に示す如く、床パネル１の周縁上に壁パネルが立設固定されるエレベータかご組立構造は知られている（特許文献１）。このエレベータかご組立構造にあっては、床パネル１が平面視略長方形状でプラットホームＰ上に載置されており、その短辺側の周縁上に立設固定される壁パネルは背パネル１１となる。又、床パネル１より上方に突設されるボルト７とこれに螺着したナット８の双方を、背パネル１１の下端部分に形成された略Ｔ字型孔１６に挿入して結合することにより、同背パネル１１を立設固定している。
【０００３】
この場合、図５（ｂ）に拡大して示す如く、背パネル１１の下端に開口した縦孔１７とこれに連通する横孔１８とで略Ｔ字型孔１６が形成されており、この略Ｔ字型孔１６にボルト７とこれに螺着したナット８の双方を挿入すると共に同ナット８を締め付けて、床パネル１と同背パネル１１とを結合している。したがって、このエレベータかご組立構造にあっては、比較的狭い空間においてプラットホームＰと床パネル１と同背パネル１１との結合を容易に行うことができるとされている。
【特許文献１】特開平１０−１０１２８０号公報
【発明の開示】
【発明が解決しようとする課題】
【０００４】
しかしながら、上記従来例にあって、壁パネルは建物躯体に形成された昇降路スペース内にその出入開口部から搬入され、同昇降路スペース内で床パネル１の周縁上に立設固定されて組み立てられるものであり、比較的狭い空間においてプラットホームＰと床パネル１と背パネル１１との結合を容易に行うことができるとされてはいるものの、壁パネルを昇降路スペース内にその出入開口部から搬入する作業が困難なものであった。すなわち、建物躯体に形成される昇降路スペース内への出入開口部は比較的小さく、特に奥行き寸法の長いエレベータである場合にその間口寸法に対応する同出入開口部は巾狭となり、この出入開口部からの搬入作業が困難となるものであった。
【０００５】
なお、上記従来例に示される壁パネルは背パネル１１となるものでその巾寸法が短く、出入開口部からの搬入作業は比較的容易に行われるかも知れないが、この出入開口部が床パネル１の短辺側に位置して、すなわち、奥行き寸法の長いエレベータであって、壁パネルが同床パネル１の両長辺側で側方の壁パネルとなる場合には、この壁パネルはその巾寸法が長くなって巾狭の同出入開口部からの搬入作業は極めて困難となるものであった。
【０００６】
本願発明は、上記背景技術に鑑みて発明されたものであり、その課題は、巾寸法が長くなる壁パネルを出入開口部から昇降路スペース内へと容易に搬入することができ、組立作業も容易となるエレベータかご組立構造を提供することである。
【課題を解決するための手段】
【０００７】
上記課題を解決するために、本願発明のエレベータかご組立構造は、床パネルの周縁上に壁パネルが立設固定されるものであり、床パネルは平面視略長方形状で昇降路スペース内に存在し、壁パネルが同昇降路スペース内にその出入開口部から搬入されるエレベータかご組立構造であって、平面視略長方形状の床パネルの長辺側でその周縁上に立設固定される壁パネルを、左右に分割された片半パネルが縦回動軸を介し枢支連結されたものとして形成し、同壁パネルを折り畳んだ状態で出入開口部から搬入して伸展させた状態で立設固定してなるものである。
【発明の効果】
【０００８】
本願発明のエレベータかご組立構造においては、壁パネルが平面視略長方形状の床パネルの長辺側でその周縁上に立設固定されるものであってその巾寸法は長くなるものであるが、左右に分割された片半パネルが縦回動軸を介し枢支連結されたものとして同壁パネルを形成しているため、この壁パネルを折り畳んだ状態にして容易に出入開口部から昇降路スペース内へと搬入することができ、床パネルの周縁上で同壁パネルを伸展させることにより簡単に立設固定することができて組立作業も容易となる。
【発明を実施するための最良の形態】
【０００９】
図１〜４は、本願の請求項１〜４全てに対応した一実施形態であるエレベータかご組立構造を示している。この実施形態のエレベータかご組立構造では、床パネル１の周縁上に壁パネル２が立設固定されるものであり、床パネル１は平面視略長方形状で昇降路スペースＳ内に存在し、壁パネル２が同昇降路スペースＳ内にその出入開口部３から搬入されるものである。そして、この場合に、平面視略長方形状の床パネル１の長辺側でその周縁上に立設固定される壁パネル２を、左右に分割された片半パネル４が縦回動軸５を介し枢支連結されたものとして形成し、同壁パネル２を折り畳んだ状態で出入開口部３から搬入して伸展させた状態で立設固定してなるものである。
【００１０】
又、この実施形態のエレベータかご組立構造では、床パネル１の短辺側に出入開口部３が位置し、壁パネル２は同床パネル１の両長辺側で側方の壁パネル２となる。又、壁パネル２の両側下端部分にパネル巾方向に沿って横長のスリット６を形成し、床パネル１の長辺両端付近にボルト７を上方へ突設し、この両ボルト７に前記両スリット６を各々スライド自在に係合ガイドさせて壁パネル２を折り畳んだ状態から伸展させ、この伸展され立設された壁パネル２を同ボルト７に螺合されるナット８を締め付けて固定している。又、縦回動軸５を壁パネル２の厚み方向外側に位置させ、同壁パネル２を伸展させた状態で、両片半パネル４の相互に近接対向する側端部間の厚み方向内側にモール部材９を挟着している。
【００１１】
以下、この実施形態のエレベータかご組立構造をより具体的詳細に説明する。この実施形態のエレベータかご組立構造では、図１に示す如く、建物躯体１０に横断面略長方形状の昇降路スペースＳが上下方向（図面向かって前後方向）に各階を連通するように形成されている。この場合、建物躯体１０は戸建住宅であってもマンションや会社、事務所等のビルであってもよい。そして、昇降路スペースＳ内をエレベータかごが上下方向に動作されるものであるが、この駆動装置としては油圧シリンダ、電動モータ等が採用される。
【００１２】
エレベータかごは、床パネル１、壁パネル２、天井パネル（図示せず）で前方へ開口した奥行き寸法の長い矩形箱型に形成され、同前方開口に開閉扉装置（図示せず）が付設される。この開閉扉装置はエレベータかご側のものであるが、出入開口部３にも建物躯体１０側の開閉扉装置（図示せず）が付設される。前記横断面略長方形状の昇降路スペースＳ内には、同形状に対応した平面視略長方形状の床パネル１が収容されており、この床パネル１は前記駆動装置にて昇降動作されるプラットホーム（図示せず）上に載置されている。
【００１３】
エレベータかごの組立作業は昇降路スペースＳ内で行われるものであり、床パネル１の周縁上に壁パネル２が立設固定され、各壁パネル２上間に天井パネル（図示せず）が設置固定されて組み立てられる。この場合、壁パネル２は平面視略長方形状の床パネル１の両長辺側でその周縁上に立設固定されるものであり、同床パネル１の一方の短辺側には壁パネルとして上記従来例と同様の背パネル１１が立設固定され、他方の短辺側の前方開口には前記エレベータかご側の開閉扉装置が設置固定される。
【００１４】
図１（ａ）に示す如く、壁パネル２は折り畳まれた状態で出入開口部３から昇降路スペースＳ内に搬入され、図１（ｂ）、（ｃ）に示す如く、同昇降路スペースＳ内で伸展されて床パネル１の周縁上に立設固定される。この場合、図２、３にも示す如く、壁パネル２の両側下端部分にはパネル巾方向に沿って横長のスリット６が形成されており、床パネル１の長辺両端付近にはボルト７が上方へ突設されている。そして、両ボルト７に両スリット６が各々スライド自在に係合ガイドされて壁パネル２は折り畳んだ状態からスムーズに伸展され、この伸展され立設された壁パネル２は、図４に示す如く、同ボルト７に螺合されたナット８が締め付けられて床パネル１に対し強固に固定される。
【００１５】
更に、前記の場合、壁パネル２の下端部分における縦回動軸５付近の両側に切欠孔１２が形成されており、床パネル１の長辺中程両側には固定ボルト１３が上方へ突設されている。そして、壁パネル２が伸展された際に、図１（ｃ）に示す如く、両固定ボルト１３に両切欠孔１２が係合され、図４に示した前記ボルト７、スリット６と同様に、同固定ボルト１３に螺合されたナット８が締め付けられて床パネル１に対し強固に固定される。このように、固定ボルト１３に切欠孔１２が係合されてナット８で締め付け固定されることにより、立設された壁パネル２の伸展状態が確保される。
【００１６】
ところで、壁パネル２は左右に分割された片半パネル４が縦回動軸５を介し枢支連結されたものとして形成され、二つ折り自在なものである。縦回動軸５は丁番等で形成され、壁パネル２の厚み方向外側（エレベータかご内外の外側）に位置している。そして、縦回動軸５の両側で対向する両片半パネル４の端面は傾斜面１４として形成されており、壁パネル２が伸展された状態で両傾斜面１４間には同壁パネル２の厚み方向内側に拡開した隙間が形成され、この隙間、すなわち、両片半パネル４の相互に近接対向する側端部間、にモール部材９が同両傾斜面１４にて挟着保持される。
【００１７】
この場合、図１（ｃ）に示す如く、壁パネル２を伸展させることによって、同時にモール部材９は強固に挟着保持される。モール部材９は柔軟な合成樹脂、ゴム等で形成され、両片半パネル４の相互に近接対向する側端部間に挟着保持されることにより、折曲される縦回動軸５の部分における隙間を閉塞するものである。又、モール部材９は縦片部９ａと横片部９ｂとで断面略Ｔ字状に形成され、楔状の同縦片部９ａが両片半パネル４の相互に近接対向する側端部間に適合して挿着され、蓋状の同横片部９ｂが両片半パネル４の側端部内面側に当接されて同側端部間を密閉する。
【００１８】
図２、３に示す如く、壁パネル２の両側下端部分にはパネル巾方向に沿って横長のスリット６が、同壁パネル２の下端部分における縦回動軸５付近の両側には切欠孔１２が、各々形成されている。スリット６及び切欠孔１２のパネル厚み方向外側面には、ボルト７、固定ボルト１３を出し入れする出入開口６ａ、１２ａが、各々同壁パネル２の下端縁にまで至って開口するように形成されている。又、スリット６及び切欠孔１２のパネル厚み方向内側面には、ボルト７、固定ボルト１３に螺着されるナット８をレンチ等の工具で回動操作するための操作窓開口６ｂ、１２ｂが、各々同壁パネル２の下端縁に開口しないよう且つ前記出入開口６ａ、１２ａよりも巾広に大きく形成されている。
【００１９】
そして、スリット６及び切欠孔１２の口縁部分にはフランジ状部１５が残存するように設けられており、図４に示す如く、同フランジ状部１５を床パネル１の上面とナット８との間に挟持させることで、壁パネル２は強固に立設固定される。伸展状態とされて立設固定される壁パネル２はこれに隣接する背パネル１１とも連結固定され、各壁パネル２及び背パネル１１上間に天井パネル（図示せず）が設置固定されて、前方へ開口した奥行き寸法の長い矩形箱型に組み立てられる。このエレベータかごの前方開口及び建物躯体１０側の出入開口部３には、開閉扉装置（図示せず）が付設される。
【００２０】
このように、壁パネル２を立設固定する際に、前記の如く、パネル厚み方向外側面にスリット６及び切欠孔１２と連通する出入開口６ａ、１２ａが形成されていることで、この出入開口６ａ、１２ａを通してボルト７、固定ボルト１３を同スリット６及び切欠孔１２へとスムーズに係合させることができる。そして、パネル厚み方向内側面にスリット６及び切欠孔１２を内側方へ開口させる操作窓開口６ｂ、１２ｂが形成されていることで、この操作窓開口６ｂ、１２ｂを通してエレベータかごの内側から容易にナット８を回動操作することができる。
【００２１】
したがって、この実施形態のエレベータかご組立構造においては、壁パネル２が平面視略長方形状の床パネル１の長辺側でその周縁上に立設固定されるものであってその巾寸法は長くなるものであるが、左右に分割された片半パネル４が縦回動軸５を介し枢支連結されたものとして同壁パネル２を形成しているため、この壁パネル２を折り畳んだコンパクトな状態にして容易に出入開口部３から昇降路スペースＳ内へと搬入することができ、床パネル１の周縁上で同壁パネル２を伸展させることにより簡単に立設固定することができてエレベータかごの組立作業も容易となる。
【００２２】
又、この実施形態のエレベータかご組立構造においては、床パネル１の短辺側に出入開口部３が位置して奥行き寸法の長いエレベータで同出入開口部３は巾狭となり、壁パネル２が同床パネル１の両長辺側で側方の壁パネル２となってその巾寸法は長くなり、このような場合には壁パネル２の搬入作業が極めて困難になるところ、同壁パネル２を折り畳んだ状態にして容易に出入開口部３から昇降路スペースＳ内へと搬入することができて有用である。
【００２３】
又、この実施形態のエレベータかご組立構造においては、壁パネル２の両側下端部分にパネル巾方向に沿って横長のスリット６を形成し、床パネル１の長辺両端付近にボルト７を上方へ突設しているので、この両ボルト７に前記両スリット６を各々スライド自在に係合ガイドさせて壁パネル２を折り畳んだ状態から伸展させることにより、同壁パネル２の伸展作業をスムーズで楽に且つ正確に行うことができる。しかも、伸展され立設された壁パネル２を、図４に示す如く、ボルト７に螺合されるナット８を締め付けることによって、強固に固定することができる。
【００２４】
又、この実施形態のエレベータかご組立構造においては、縦回動軸５が壁パネル２の厚み方向外側に位置し、同壁パネル２を伸展させた状態で、両片半パネル４の相互に近接対向する側端部間の厚み方向内側にモール部材９を挟着させているため、折曲される同縦回動軸５の部分における隙間が閉塞される。この場合、対向する両片半パネル４の端面は傾斜面１４として形成されており、壁パネル２が伸展された状態で両傾斜面１４間には同壁パネル２の厚み方向内側に拡開した隙間が形成され、この隙間にモール部材９が適合して挿着され同両傾斜面１４で確実に挟着保持される。
【図面の簡単な説明】
【００２５】
【図１】本願発明の一実施形態であるエレベータかご組立構造の組立工程を示す（ａ）、（ｂ）、（ｃ）各工程での概略平面図。
【図２】同エレベータかご組立構造における壁パネルを示す（ａ）は正面図、（ｂ）は底面図、（ｃ）は背面図。
【図３】同壁パネルの要部を示す斜め下方から見た拡大斜視図。
【図４】同エレベータかご組立構造の要部を示す拡大縦断面図。
【図５】従来例であるエレベータかご組立構造の組立状態を示す（ａ）は分解斜視図、（ｂ）はその要部を示す拡大正面図。
【符号の説明】
【００２６】
１  床パネル
２  壁パネル
３  出入開口部
４  片半パネル
５  縦回動軸
６  スリット
７  ボルト
８  ナット
９  モール部材
Ｓ  昇降路スペース
【図１】
2006273431.tif 000003
【図２】
2006273431.tif 000004
【図３】
2006273431.tif 000005
【図４】
2006273431.tif 000006
【図５】
2006273431.tif 000007